(57)【特許請求の範囲】
【請求項１】
第１部材と、
前記第１部材に対して第１方向に隣接して配置された第２部材とを備え、
前記第１部材は、吸水装置により底面と設置面との間の水を吸い取るための流路が設けられた筒状部と、前記筒状部に対して水平面内で前記第１方向と直交する第２方向に接続され、前記第２方向に延びる板状部とを含み、
前記板状部は、前記筒状部の外径よりも小さい前記第１方向の幅を有している、ウォーターフェンス。
【請求項２】
前記第１部材の前記板状部は、前記筒状部の内径よりも小さい前記第１方向の幅を有している、請求項１に記載のウォーターフェンス。
【請求項３】
前記第１部材は、前記筒状部の上部に配置され、略水平方向に突出するフランジ部をさらに含み、
前記第２部材は、前記フランジ部に対応する部分に形成された凹部を含む、請求項１または２に記載のウォーターフェンス。
【請求項４】
前記第２部材は、前記第１方向において前記第１部材を挟むように一対設けられ、
一対の前記第２部材が前記第１部材を挟み込んだ状態で、一対の前記第２部材を挟持する連結部材をさらに備える、請求項１〜３のいずれか１項に記載のウォーターフェンス。
【請求項５】
前記第１部材の前記筒状部に挿入され、前記吸水装置が接続されるための接続パイプをさらに備える、請求項１〜４のいずれか１項に記載のウォーターフェンス。
【請求項６】
前記第１部材は、弾性材料により形成されており、
前記第２部材は、発泡材料により形成されている、請求項１〜５のいずれか１項に記載のウォーターフェンス。
【請求項７】
前記第１部材は、底部に配置され、前記第１方向に突出する凸状の第１篏合部をさらに含み、
前記第２部材は、底部に配置され、前記第１部材の前記第１篏合部と篏合する第２篏合部を含む、請求項１〜６のいずれか１項に記載のウォーターフェンス。
【請求項８】
前記第１部材および前記第２部材の底面に配置され、前記第１部材および前記第２部材の設置面への設置性を向上させる設置力増強部材をさらに備える、請求項１〜７のいずれか１項に記載のウォーターフェンス。
【請求項９】
前記第１部材は、前記第２部材よりも比重が大きい材料により形成されている、請求項１〜８のいずれか１項に記載のウォーターフェンス。
【発明の詳細な説明】
【技術分野】
【０００１】
この発明は、ウォーターフェンスに関する。
【背景技術】
【０００２】
従来、浸水を抑制するための水嚢（ウォーターフェンス）が知られている（たとえば、特許文献１参照）。
【０００３】
上記特許文献１には、洪水などによって大量の水が流れ出た場合、袋体に水を注水して、流出した水による浸水を防ぐ堰として機能させるための水嚢（ウォーターフェンス）が開示されている。この特許文献１の水嚢は、流出した水によって水嚢が流されないように積載性や、設置性を向上させる為に水嚢の底面に吸盤が複数設けられている。
【先行技術文献】
【特許文献】
【０００４】
【特許文献１】特開２００５−１６３５１４号公報
【発明の概要】
【発明が解決しようとする課題】
【０００５】
しかしながら、上記特許文献１では、水嚢（ウォーターフェンス）の設置性を向上させることができるものの、複数設置された水嚢の間から水が侵入するのを抑制することが困難であると考えられる。このため、浸水を効果的に抑制することが困難であるという問題点がある。
【０００６】
この発明は、上記のような課題を解決するためになされたものであり、この発明の１つの目的は、浸水を効果的に抑制することが可能なウォーターフェンスを提供することである。
【課題を解決するための手段】
【０００７】
この発明の一の局面によるウォーターフェンスは、第１部材と、第１部材に対して第１方向に隣接して配置された第２部材とを備え、第１部材は、吸水装置により底面と設置面との間の水を吸い取るための流路が設けられた筒状部と、筒状部に対して水平面内で第１方向と直交する第２方向に接続され、第２方向に延びる板状部とを含み、板状部は、筒状部の外径よりも小さい第１方向の幅を有している。
【０００８】
この発明の一の局面によるウォーターフェンスでは、上記のように、第１部材に、筒状部に対して第２方向に接続され、第２方向に延びるとともに、筒状部の外径よりも小さい第１方向の幅を有する板状部を設ける。これにより、第１方向において隣接する第１部材と第２部材とを、第２方向に延びる板状部により、密着して配置することができるので、第１部材と第２部材との間から水が侵入するのを抑制することができる。また、筒状部を介して吸水装置により底面と設置面との間の水を吸い取ることができるので、ウォーターフェンスの下方からの浸水を抑制することができる。その結果、浸水を効果的に抑制することができる。また、第１部材の第１方向の大きさを小さく（薄型化）することができるので、第１部材の軽量化を図ることができる。その結果、ウォーターフェンス全体の重量が大きくなるのを抑制することができる。
【０００９】
上記一の局面によるウォーターフェンスにおいて、好ましくは、第１部材の板状部は、筒状部の内径よりも小さい第１方向の幅を有している。このように構成すれば、第１部材の第１方向の大きさを効果的に小さくすることができるので、ウォーターフェンスを効果的に軽量化することができる。
【００１０】
上記一の局面によるウォーターフェンスにおいて、好ましくは、第１部材は、筒状部の上部に配置され、略水平方向に突出するフランジ部をさらに含み、第２部材は、フランジ部に対応する部分に形成された凹部を含む。このように構成すれば、第１部材のフランジ部と、第２部材の凹部とを係合させて組み立てることができるので、第１部材と第２部材とをより密着して配置することができる。また、筒状部の上部のフランジ部を第２部材の凹部に係合させることにより、フランジ部が凹部に支持されるので、吸水装置が接続されるためのパイプを筒状部に挿入する際に、筒状部がパイプの挿入方向に変形するのを抑制することができる。
【００１１】
上記一の局面によるウォーターフェンスにおいて、好ましくは、第２部材は、第１方向において第１部材を挟むように一対設けられ、一対の第２部材が第１部材を挟み込んだ状態で、一対の第２部材を挟持する連結部材をさらに備える。このように構成すれば、連結部材により、第１部材を挟み込んだ一対の第２部材を挟持することにより、第１部材および一対の第２部材を確実に密着させて配置することができるので、より確実に浸水を抑制することができる。また、第１方向において、第２部材が第１部材を挟んで複数配置されるので、ウォーターフェンスの第１方向の長さを容易に大きくすることができる。
【００１２】
上記一の局面によるウォーターフェンスにおいて、好ましくは、第１部材の筒状部に挿入され、吸水装置が接続されるための接続パイプをさらに備える。このように構成すれば、接続パイプを介して吸水装置を容易に筒状部の流路に接続することができるので、吸水装置によりウォーターフェンスの底面と設置面との間の水を容易に吸い取ることができる。
【００１３】
上記一の局面によるウォーターフェンスにおいて、好ましくは、第１部材は、弾性材料により形成されており、第２部材は、発泡材料により形成されている。このように構成すれば、第１部材を弾性部材により形成することにより、第１部材と第２部材とを容易に密着させることができる。また、第２部材を発泡材料により形成することにより、ウォーターフェンスの軽量化を図ることができる。また、弾性部材により形成された第１部材の第１方向の大きさを小さくすることができるので、第１部材の重量が大きくなるのを抑制することができる。その結果、ウォーターフェンスを効果的に軽量化することができる。
【００１４】
上記一の局面によるウォーターフェンスにおいて、好ましくは、第１部材は、底部に配置され、第１方向に突出する凸状の第１篏合部をさらに含み、第２部材は、底部に配置され、第１部材の第１篏合部と篏合する第２篏合部を含む。このように構成すれば、第１部材および第２部材を組み合わせてウォーターフェンスを組み立てる際に、端部を互いに当接させるとともに、第１嵌合部および第２嵌合部を嵌合させることができるので、底面部の高さを揃えて組み立てることができるとともに、第１部材および第２部材がずれることがない。これにより、組み立て時に、第１部材および第２部材の向きを間違えるのを防止するとともに、精度よく位置決めを行うことができる。
【００１５】
上記一の局面によるウォーターフェンスにおいて、好ましくは、第１部材および第２部材の底面に配置され、第１部材および第２部材の設置面への設置性を向上させる設置力増強部材をさらに備える。このように構成すれば、設置力増強部材により、凹凸のある設置面に対しての設置性や水密性を向上させることができるので、安定してウォーターフェンスを設置することができる。その結果、ウォーターフェンスの下方からの浸水を効果的に抑制することができる。また、吸水装置により第１部材および第２部材の底面の水を空気と共に吸い取ることによって、第１部材および第２部材の底面と設置面との間に負圧を発生させることができる。これにより、設置力増強部材を地面へ吸着させて、ウォーターフェンスを地面に対して安定して設置することができる。
【００１６】
上記一の局面によるウォーターフェンスにおいて、好ましくは、第１部材は、第２部材よりも比重が大きい材料により形成されている。このように構成すれば、比重の大きい材料により形成された第１部材の第１方向の大きさを小さく（薄型化）することができるので、ウォーターフェンスを効果的に軽量化することができる。
【発明の効果】
【００１７】
本発明によれば、上記のように、浸水を効果的に抑制することができる。
【図面の簡単な説明】
【００１８】
【図１】本発明の一実施形態によるウォーターフェンスを上方から見た斜視図である。
【図２】本発明の一実施形態によるウォーターフェンスを下方から見た斜視図である。
【図３】本発明の一実施形態によるウォーターフェンス本体部を下方から見た斜視図である。
【図４】本発明の一実施形態によるウォーターフェンスの分解斜視図である。
【図５】本発明の一実施形態によるウォーターフェンスの第１部材を示した斜視図である。
【図６】本発明の一実施形態によるウォーターフェンスの第２部材を示した斜視図である。
【図７】本発明の一実施形態によるウォーターフェンスの第１部材を示した側面図である。
【図８】本発明の一実施形態によるウォーターフェンスの第１部材を示した正面図である。
【図９】本発明の一実施形態によるウォーターフェンスの設置力増強部材の特性を示した表である。
【図１０】本発明の一実施形態によるウォーターフェンスの設置力増強部材の水透過の特性を示した表である。
【図１１】本発明の一実施形態の変形例によるウォーターフェンスの第１部材を示した斜視図である。
【発明を実施するための形態】
【００１９】
以下、本発明の実施形態を図面に基づいて説明する。
【００２０】
（ウォーターフェンスの構成）
図１〜図１０を参照して、本発明の一実施形態について説明する。本実施形態によるウォーターフェンス１００は、建物への浸水を防いだり、工事現場などにおいて水を長時間せき止めたり、流れを有する河川などをせき止めたりするために用いられる。ウォーターフェンス１００は、図１および図２に示すように、ウォーターフェンス本体部１と、設置力増強部材２とを備えている。ウォーターフェンス１００は、Ｘ方向に延びる細長形状を有しており、Ｙ方向の水を止めるように設置される。また、図１に示すように、ウォーターフェンス１００には、自吸機能を有した自吸ポンプ（以下「ポンプ」と称す）３が接続されている。ポンプ３は、急な増水に対しても信頼性の高い水没使用が可能な防水構造を有するポンプとすることが望ましい。また、ウォーターフェンス本体部１には、重りとして水を注水したり、ペットボトルなどの重り部材を配置可能に構成されている。なお、ポンプ３は、特許請求の範囲の「吸水装置」の一例である。また、Ｘ方向は、特許請求の範囲の「第１方向」の一例であり、Ｙ方向は、特許請求の範囲の「第２方向」の一例である。
【００２１】
ウォーターフェンス本体部１は、第１部材１１と、第２部材１２と、連結部材１３と、パイプ１４と、パイプ１５（図３参照）とを含んでいる。第１部材１１は、凸部１１１（図３参照）と、篏合部１１２（図４参照）と、筒状部１１３（図５参照）と、板状部１１４（図５参照）と、フランジ部１１５（図５参照）と、肉抜穴１１６（図５参照）とを有している。第２部材１２は、図６に示すように、重り取付部１２１と、凸部１２２（図３参照）と、嵌合部１２３（図４参照）と、凹部１２４および１２５とを有している。なお、パイプ１４は、特許請求の範囲の「接続パイプ」の一例である。また、篏合部１１２は、特許請求の範囲の「第１篏合部」の一例であり、篏合部１２３は、特許請求の範囲の「第２篏合部」の一例である。
【００２２】
ウォーターフェンス本体部１は、浸水を防止するための堰を形成している。具体的には、ウォーターフェンス本体部１は、柱や壁或いは扉（図示せず）などの前面側（Ｙ２方向側）に配置され、背面側（Ｙ１方向側）への浸水を防止する堰を形成している。また、ウォーターフェンス本体部１は、図１に示すように、第１部材１１のＸ方向の両端に、それぞれ、第２部材１２が連結されている。また、ウォーターフェンス本体部１は、複数に分割可能に構成されている。具体的には、第２部材１２は、第１部材１１に対してＸ方向に隣接して配置されている。
【００２３】
また、第２部材１２は、Ｘ方向において第１部材１１を挟むように一対設けられている。一対の第２部材１２は、第１部材１１を挟み込んだ状態で、弾性を有する連結部材１３により挟持されることにより、連結されている。具体的には、図４に示すように、一対の第２部材１２が第１部材１１を挟んでＸ方向に隣接して配置された状態で、Ｙ方向の両側（Ｙ１方向およびＹ２方向）に設けられた連結部材１３により、第１部材１１および一対の第２部材１２が連結されている。
【００２４】
第１部材１１は、水を透過させない素材により形成されている。第１部材１１は、たとえば、ゴムや樹脂或いは金属などにより形成されている。好ましくは、第１部材１１は、弾性材料により形成されている。また、第１部材１１は、第２部材１２よりも比重が大きい材料により形成されている。
【００２５】
図３に示すように、第１部材１１の下面側（Ｚ２方向側）には、凸部１１１が設けられている。凸部１１１の外側の平坦面には、設置力増強部材２が取り付けられるように構成されている。また、凸部１１１は、吸水口部が設けられたパイプ１５をＹ方向に挟み込むように、一対設けられている。また、凸部１１１は、第１部材１１に連結される第２部材１２の凸部１２２とつながるように形成されている。
【００２６】
図４および図５に示すように、第１部材１１の底部（Ｚ２方向側部）には、第２部材１２側（Ｘ方向）に凸状に突出する嵌合部１１２が設けられている。嵌合部１１２は、第２部材１２の嵌合部１２３に嵌合するように構成されている。また、嵌合部１１２は、平面視において（Ｚ方向から見て）、第２部材１２とオーバーラップするように配置されている。つまり、嵌合部１１２は、第１部材１１および第２部材１２を底面を上にして組立てた場合に、図３に示すように、第２部材１２に覆いかぶさるように、嵌合部１２３に嵌合する。
【００２７】
図５に示すように、筒状部１１３は、上下方向（Ｚ方向）に延びるように形成されている。また、筒状部１１３は、第１部材１１のＹ方向の中央近傍に配置されている。また、筒状部１１３は、第１部材１１のＸ方向の中央近傍に配置されている。また、筒状部１１３は、第２部材１２の凹部１２４に嵌り込むように構成されている。図７および図８に示すように、筒状部１１３の内側には、ポンプ３により底面と設置面との間の水を吸い取るための流路１１３ａおよび１１３ｂが設けられている。つまり、筒状部１１３の流路１１３ａおよび１１３ｂは、上下方向に貫通するように設けられている。
【００２８】
流路１１３ａは、筒状部１１３の上側（Ｚ１方向側）に設けられている。流路１１３ｂは、流路１１３ａに接続され、筒状部１１３の下側（Ｚ２方向側）に設けられている。図８に示すように、筒状部１１３は、外径Ｄ１を有している。筒状部１１３は、流路１１３ａの部分において内径Ｄ２を有し、流路１１３ｂの部分において内径Ｄ３を有している。
【００２９】
筒状部１１３の上部（流路１１３ａ）には、ポンプ３が接続されるためのパイプ１４が挿入されている。パイプ１４は、流路１１３ａおよび１１３ｂの境界近傍まで挿入されている。パイプ１４は、たとえば、金属により形成されている。パイプ１４は、流路１１３ａの内径Ｄ２よりも小さい外径を有している。また、パイプ１４は、流路１１３ｂの内径Ｄ３と略等しい外径を有している。つまり、パイプ１４は、わずかな隙間を隔てて、筒状部１１３に挿入されている。これにより、パイプ１４と筒状部１１３との間に余裕があるので、第１部材１１が第２部材１２に挟まれて組み立てられた場合に、第１部材１１および第２部材１２の寸法誤差に起因する組み付けの歪みが発生するのを抑制することが可能である。また、パイプ１４は、略Ｌ字形状に形成されている。パイプ１４の外側の端部には、ポンプ３に接続される管（ホースなど）が接続されるように構成されている。
【００３０】
筒状部１１３の底部（流路１１３ｂ）には、吸水口部が設けられたパイプ１５が挿入されている。パイプ１５は、たとえば、金属により形成されている。パイプ１５の下側（Ｚ２方向側）の端部は、凸部１１１の下端近傍（Ｚ２方向側の端部近傍）に配置されている。これにより、ウォーターフェンス本体部１の底面１ａと設置面との間の水が、ポンプ３により吸水される。なお、パイプ１５の吸水口部に、異物除去用のフィルターを設けてもよい。これにより、ポンプ３によって吸い込み、排出される水からゴミなどの異物を除去することができるので、緊急時の水として活用することも可能である。なお、フィルターは吸込みから排出までの間に設けられれば良いので、ポンプ３の吸水用ホースなどに設けてもよい。
【００３１】
ここで、本実施形態では、図５に示すように、板状部１１４は、筒状部１１３に対してＹ方向に接続され、Ｙ方向に延びるように形成されている。具体的には、板状部１１４は、筒状部１１３のＹ方向の両側（Ｙ１方向およびＹ２方向）に配置されている。また、図８に示すように、板状部１１４は、筒状部１１３の外径Ｄ１よりも小さいＸ方向の幅Ｔを有している。また、板状部１１４は、筒状部１１３の内径Ｄ２およびＤ３よりも小さいＸ方向の幅Ｔを有している。また、板状部１１４は、一対の第２部材１２のＸ方向における設計上の隙間よりも小さいＸ方向の幅を有している。また、板状部１１４は、Ｘ方向に隣接する第２部材１２と、Ｚ方向に沿った線接触により密着するように構成されている。
【００３２】
図５に示すように、フランジ部１１５は、筒状部１１３の上部に配置されている。また、フランジ部１１５は、略水平方向（ＸＹ方向）に突出するように形成されている。また、フランジ部１１５は、第２部材１２の凹部１２５に嵌り込むように構成されている。
【００３３】
肉抜穴１１６は、篏合部１１２に設けられている。また、肉抜穴１１６は、Ｘ方向に延びるように形成されている。これにより、第１部材１１を軽量化することが可能である。
【００３４】
図１に示すように、第２部材１２は、直方体の箱型形状を有している。また、第２部材１２は、Ｘ方向に延びるように形成されている。また、第２部材１２は、水を透過させない素材により形成されている。第２部材１２は、たとえば、発泡スチロールやゴムや樹脂或いは金属などにより形成されている。好ましくは、第２部材１２は、発泡材料により形成されている。第２部材１２の重り取付部１２１には、重りとしてのペットボトルなどが取り付けられるように構成されている。第２部材１２の重り取付部１２１にペットボトルなどの重りが取り付けられることによりウォーターフェンス１００に加わる荷重を増すことが可能なように構成されている。なお、重り取付部１２１に、水、石、砂、土などを入れて重りとしてもよい。
【００３５】
図３に示すように、第２部材１２の下面側（Ｚ２方向側）には、凸部１２２が設けられている。凸部１２２の外側の平坦面には、設置力増強部材２が取り付けられるように構成されている。また、凸部１２２は、略Ｕ字形状に形成されている。また、凸部１２２は、第２部材１２に連結される第１部材１１の凸部１１１とつながるように形成されている。つまり、第１部材１１の凸部１１１と、第２部材１２の凸部１２２とが連結されて、長方形のロ字形状の凸部が形成される。ロ字形状の凸部の内側は、ポンプ３により吸水される水の通り道となる。
【００３６】
図４に示すように、第２部材１２の底部（Ｚ２方向側部）には、第１部材１１の嵌合部１１２が嵌合する嵌合部１２３が設けられている。具体的には、嵌合部１２３は、凹状に形成されており、凸状の嵌合部１１２が嵌合するように構成されている。
【００３７】
図６に示すように、凹部１２４は、第１部材１１の筒状部１１３に対応する部分に形成されている。つまり、第１部材１１および第２部材１２を組み合わせた場合に、第１部材１１の筒状部１１３が第２部材１２の凹部１２４に嵌り込む（係合する）ように構成されている。凹部１２５は、第１部材１１のフランジ部１１５に対応する部分に形成されている。つまり、第１部材１１および第２部材１２を組み合わせた場合に、第１部材１１のフランジ部１１５が第２部材１２の凹部１２５に嵌り込む（係合する）ように構成されている。
【００３８】
図２に示すように、設置力増強部材２は、ウォーターフェンス本体部１の底面１ａに配置され、ウォーターフェンス本体部１の設置面への設置性を向上させるように構成されている。つまり、ウォーターフェンス本体部１の設置時の自重と、ポンプ３が吸水することとによって、設置力増強部材２は、弾性圧縮変形するとともに、外部の水を所定量透過させることにより、ウォーターフェンス本体部１の設置面内の圧力を低圧安定させるように構成されている。
【００３９】
具体的には、設置力増強部材２は、ウォーターフェンス本体部１の自重と、ポンプ３が吸水することにより生じる負圧とにより、水の透過率が所定の値となることにより、ウォーターフェンス本体部１の底面１ａと設置面との間に外部からの水を所定量透過させてポンプ３の自吸水を確保するように構成されている。
【００４０】
設置力増強部材２は、半連続気泡構造を有しており、圧縮変形されることにより水の透過率が変化するように構成されている。設置力増強部材２は、たとえば、半連続気泡構造の気孔率５０％〜６０％程度のやわらかいスポンジにより形成されている。また、設置力増強部材２は、半連続気泡構造のスポンジが圧縮されることによりスポンジの孔が小さくなり、水の透過率が変わるように構成されている。また、設置力増強部材２は、圧縮力がかからない状態において、たとえば、約２０ｍｍ以上約３０ｍｍ以下の高さを有する。ポンプ３が駆動された場合、半連続気泡構造のスポンジは５０〜８０％程度圧縮されることが望ましい。また、設置力増強部材２は、第１部材１１よりも柔らかい材料により形成されている。
【００４１】
設置力増強部材２は、ウォーターフェンス本体部１の自重と、重り収容部１２１に取り付けられた重りと、ポンプ３の吸引力によって生じる負圧とにより圧縮されるように構成されている。また、ポンプ３は設置力増強部材２を透過した水を、設置面内側の空間の空気と共に吸引するように構成されている。つまり、設置力増強部材２により吸水された水が第１部材１１の流路１１３ｂおよび１１３ａを介してポンプ３に吸引されるように構成されている。なお、ポンプ３は、空気とともに水を吸い込むので、ポンプ３の吐出口から水を吐き出す状態と、ポンプ３の吐出口から少しの水を空気とともに吐き出す状態とを数秒程度の周期で繰り返す間欠運転となる。
【００４２】
また、ポンプ３により、設置力増強部材２を透過した水を、設置面内側の空間の空気と共に吸引することにより、ウォーターフェンス本体部１と設置面との間の空間の真空度が上げられる。これにより、設置面に対してウォーターフェンス本体部１を安定させて配置することが可能に構成されている。その結果、ウォーターフェンス本体部１が水により押されて変形したり、流されたりすることを効果的に抑制することが可能である。
【００４３】
また、設置力増強部材２は、第１部材１１の凸部１１１の外側の平坦面および第２部材１２の凸部１２２の外側の平坦面に取り付けられるように構成されている。具体的には、設置力増強部材２は、両面テープなどの接着層を介して、第１部材１１および第２部材１２の底面に取り付けられる。また、設置力増強部材２は、図２に示すように、平面視（Ｚ方向から見て）において、Ｙ方向の端部が、第２部材１２の細い部分と略面一となるように配置されている。
【００４４】
ポンプ３は、ウォーターフェンス本体部１の底面１ａと設置面との間の水を吸い取るように構成されている。また、ポンプ３は、水深が浅い水を吸水可能に構成されている。これにより、ポンプ３は、設置面とウォーターフェンス本体部１の底面１ａとの間に浸水した少量の水を効果的に排水することが可能である。
【００４５】
図９を参照して、設置力増強部材２の特性の一例について説明する。
【００４６】
図９に示すように、設置力増強部材２は、たとえば、見掛け密度が１１０ｋｇ／ｍ3であり、引張強さが８０ｋＰａであり、伸びが４５０％である。また、設置力増強部材２は、圧縮硬さが、圧縮率が２５％の場合、３．３ｋＰａであり、圧縮率が５０％の場合、４．５ｋＰａである。
【００４７】
図１０を参照して、設置力増強部材２の特性（水透過）の一例について説明する。
【００４８】
図１０に示すように、水透過について、設置力増強部材２は、圧縮率が６０％の場合、水深１００ｍｍの水頭圧（１００ｍｍＨ2Ｏ＝０．０１ｋｇｆ／ｃｍ2≒０．９８ｋＰａ）に対して、１０分以内に水漏れがあった。また、設置力増強部材２は、圧縮率が７０％の場合、水深１００ｍｍの水頭圧（１００ｍｍＨ2Ｏ＝０．０１ｋｇｆ／ｃｍ2≒０．９８ｋＰａ）に対して、１０分を超えて３０分以内に水漏れがあった。また、設置力増強部材２は、圧縮率が８０％および９０％の場合、水深１００ｍｍの水頭圧（１００ｍｍＨ2Ｏ＝０．０１ｋｇｆ／ｃｍ2≒０．９８ｋＰａ）に対して、３０分間水漏れしなかった。なお、水透過について、１０分以内に水漏れがあった場合、「△」と示し、１０分を超えて３０分以内に水漏れがあった場合、「○」と示し、３０分間水漏れしなかった場合、「◎」と示している。
【００４９】
設置力増強部材２に用いる気孔率５０％〜６０％程度の半連続気泡構造のやわらかいスポンジは、図１０に示す一例のように、圧縮率に応じた透過率となる。また、設置力増強部材２は、５０％以上８０％以下の圧縮率になるように圧縮抑制することにより、半連続気泡構造のスポンジを透過する水量をポンプ３の呼び水として適度な透過水量に抑えることが可能である。また、設置力増強部材２（スポンジ）を透過した水をポンプ３で排水するのでウォーターフェンス本体部１を越えて浸水させないようにすることが可能である。つまり、ポンプ３を駆動させた場合に、設置力増強部材２の圧縮率が５０％以上８０％以下になることが好ましい。
【００５０】
（実施形態の効果）
本実施形態では、以下のような効果を得ることができる。
【００５１】
本実施形態では、上記のように、第１部材１１に、筒状部１１３に対してＹ方向に接続され、Ｙ方向に延びるとともに、筒状部１１３の外径Ｄ１よりも小さいＸ方向の幅Ｔを有する板状部１１４を設ける。これにより、Ｘ方向において隣接する第１部材１１と第２部材１２とを、Ｙ方向に延びる板状部１１４により、密着して配置することができるので、第１部材１１と第２部材１２との間から水が侵入するのを抑制することができる。また、筒状部１１３を介してポンプ３により底面１ａと設置面との間の水を吸い取ることができるので、ウォーターフェンス１００の下方からの浸水を抑制することができる。その結果、浸水を効果的に抑制することができる。また、第１部材１１のＸ方向の大きさを小さく（薄型化）することができるので、第１部材１１の軽量化を図ることができる。その結果、ウォーターフェンス１００全体の重量が大きくなるのを抑制することができる。
【００５２】
また、本実施形態では、上記のように、第１部材１１の板状部１１４を、筒状部１１３の内径Ｄ２およびＤ３よりも小さいＸ方向の幅Ｔを有するように形成する。これにより、第１部材１１のＸ方向の大きさを効果的に小さくすることができるので、ウォーターフェンス１００を効果的に軽量化することができる。
【００５３】
また、本実施形態では、上記のように、第１部材１１に、筒状部１１３の上部に配置され、略水平方向に突出するフランジ部１１５を設け、第２部材１２に、フランジ部１１５に対応する部分に形成された凹部１２５を設ける。これにより、第１部材１１のフランジ部１１５と、第２部材１２の凹部１２５とを係合させて組み立てることができるので、第１部材１１と第２部材１２とをより密着して配置することができる。また、筒状部１１３の上部のフランジ部１１５を第２部材１２の凹部１２５に係合させることにより、フランジ部１１５が凹部１２５に支持されるので、ポンプ３が接続されるためのパイプ１４を筒状部１１３に挿入する際に、筒状部１１３がパイプ１４の挿入方向に変形するのを抑制することができる。
【００５４】
また、本実施形態では、上記のように、一対の第２部材１２が第１部材１１を挟み込んだ状態で、一対の第２部材１２を挟持する連結部材１３を設ける。これにより、連結部材１３により、第１部材１１を挟み込んだ一対の第２部材１２を挟持することにより、第１部材１１および一対の第２部材１２を確実に密着させて配置することができるので、より確実に浸水を抑制することができる。また、Ｘ方向において、第２部材１２が第１部材１１を挟んで複数配置されるので、ウォーターフェンス１００のＸ方向の長さを容易に大きくすることができる。
【００５５】
また、本実施形態では、上記のように、第１部材１１の筒状部１１３に挿入され、ポンプ３が接続されるためのパイプ１４を設ける。これにより、パイプ１４を介してポンプ３を容易に筒状部１１３の流路１１３ａおよび１１３ｂに接続することができるので、ポンプ３によりウォーターフェンス１００の底面１ａと設置面との間の水を容易に吸い取ることができる。
【００５６】
また、本実施形態では、上記のように、第１部材１１を、弾性材料により形成し、第２部材１２を、発泡材料により形成する。これにより、第１部材１１を弾性部材により形成することにより、第１部材１１と第２部材１２とを容易に密着させることができる。また、第２部材１２を発泡材料により形成することにより、ウォーターフェンス１００の軽量化を図ることができる。また、弾性部材により形成された第１部材１１のＸ方向の大きさを小さくすることができるので、第１部材１１の重量が大きくなるのを抑制することができる。その結果、ウォーターフェンス１００を効果的に軽量化することができる。
【００５７】
また、本実施形態では、上記のように、第１部材１１に、底部に配置され、Ｘ方向に突出する凸状の篏合部１１２を設け、第２部材１２に、底部に配置され、第１部材１１の篏合部１１２と篏合する篏合部１２３を設ける。これにより、第１部材１１および第２部材１２を組み合わせてウォーターフェンス１００を組み立てる際に、端部を互いに当接させるとともに、嵌合部１１２および嵌合部１２３を嵌合させることができるので、底面部の高さを揃えて組み立てることができるとともに、第１部材１１および第２部材１２がずれることがない。これにより、組み立て時に、第１部材１１および第２部材１２の向きを間違えるのを防止するとともに、精度よく位置決めを行うことができる。
【００５８】
また、本実施形態では、上記のように、第１部材１１および第２部材１２の底面に配置され、第１部材１１および第２部材１２の設置面への設置性を向上させる設置力増強部材２を設ける。これにより、設置力増強部材２により、凹凸のある設置面に対しての設置性や水密性を向上させることができるので、安定してウォーターフェンス１００を設置することができる。その結果、ウォーターフェンス１００の下方からの浸水を効果的に抑制することができる。また、ポンプ３により第１部材１１および第２部材１２の底面の水を吸い取ることによって、第１部材１１および第２部材１２の底面と設置面との間に負圧を発生させることができる。これにより、第１部材１１および第２部材１２が設置面に対してずれるのを抑制することができる。
【００５９】
また、本実施形態では、上記のように、第１部材１１を、第２部材１２よりも比重が大きい材料により形成する。これにより、比重の大きい材料により形成された第１部材１１のＸ方向の大きさを小さく（薄型化）することにより、ウォーターフェンス１００全体の重量を効果的に軽量化することができる。
【００６０】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６１】
たとえば、上記実施形態では、第１部材の底部に篏合部１１２（第１篏合部）を設け、第２部材の底部に篏合部１２３（第２篏合部）を設けて、互いに篏合させる構成の例を示したが、本発明はこれに限らない。本発明では、図１１に示す変形例のように、第１部材の板状部の上部および底部のそれぞれに係合部１１７を設けてもよい。係合部１１７は、図１１に示すように、半円柱形状に形成してもよい。また、係合部１１７は、角柱形状に形成してもよい。また、第１部材に係合部１１７を設ける場合、第２部材に、係合部１１７を係合する凹部を設けてもよい。
【００６２】
また、上記実施形態では、ウォーターフェンスが一対の第２部材を備える構成の例を示したが、本発明はこれに限らない。本発明では、第１部材を挟むように一体の第２部材を配置してもよいし、第１部材の一方側のみに第２部材を配置してもよい。また、ウォーターフェンスが３つ以上の第２部材を備えていてもよい。
【００６３】
また、上記実施形態では、ウォーターフェンスが直線的に形成されている構成の例を示したが、本発明はこれに限らない。本発明では、ウォーターフェンスが折れ曲がるように形成されていてもよい。
【００６４】
また、上記実施形態では、ウォーターフェンスに入れる重りとしてペットボトルを用いた例を示したが、本発明はこれに限らない。本発明では、ペットボトル以外の部材を重りとして用いてもよい。たとえば、バーベルや石などを重りとして用いてもよい。
【００６５】
また、上記実施形態では、板状部がＹ方向（第２方向）において筒状部の両側に形成されている構成の例を示したが、本発明はこれに限らない。本発明では、板状部が第２方向において筒状部の片側のみに形成されていてもよい。
【００６６】
また、上記実施形態では、第１部材にパイプ（接続パイプ）を挿入する構成の例を示したが、本発明はこれに限らない。本発明では、第１部材に接続パイプを挿入せずに、吸水装置と接続してもよい。また、第１部材の下方にパイプを挿入しなくてもよい。
【００６７】
また、上記実施形態では、設置力増強部材が、１層により形成されている例を示したが、本発明はこれに限らない。本発明では、設置力増強部材を２層以上により形成してもよい。また、設置力増強部材を設けなくてもよい。
【００６８】
たとえば、設置力増強部材を１層により形成した場合、設置力増強部材を、気孔率８０％〜９０％程度のスポンジ材により形成してもよい。また、設置力増強部材を、吸水率が大きい材料により形成してもよい。たとえば、設置力増強部材を、ＰＶＡ（ポリビニールアルコール）製のスポンジ材により形成してもよい。
【００６９】
また、上記実施形態では、吸水装置として自吸式のポンプを用いる例を示したが、本発明はこれに限らない。本発明では、自吸式に限らず、吸水機能を有するポンプであれば特に限定されない。また、真空ポンプや掃除機などの真空吸引方式の吸引装置を用いてもよい。
【符号の説明】
【００７０】
２  設置力増強部材
３  ポンプ（吸水装置）
１１  第１部材
１２  第２部材
１３  連結部材
１４  パイプ（接続パイプ）
１００  ウォーターフェンス
１１２  篏合部（第１篏合部）
１１３  筒状部
１１３ａ、１１３ｂ  流路
１１４  板状部
１１５  フランジ部
１２３  篏合部（第２篏合部）
１２５  凹部
【図１】
0006514123.tif 000002
【図２】
0006514123.tif 000003
【図３】
0006514123.tif 000004
【図４】
0006514123.tif 000005
【図５】
0006514123.tif 000006
【図６】
0006514123.tif 000007
【図７】
0006514123.tif 000008
【図８】
0006514123.tif 000009
【図９】
0006514123.tif 000010
【図１０】
0006514123.tif 000011
【図１１】
0006514123.tif 000012